(57)【特許請求の範囲】
【請求項１】
回転可能なドア開閉用ハンドルを備えるとともに前記ドアの閉鎖状態を固定する錠機構を備えたドア開閉用錠付ハンドル装置において、
前記ハンドル装置は、前記錠機構の解錠時には前記ハンドル装置の内方へ後退し、その施錠時には前記ハンドル装置の外方へ前進して他装置を動作させるロッド部を有するロッド機構を内蔵し、
前記ハンドル装置は、前記ハンドルの回転軸上に設けられ前端に嵌合部が突出し後端にキー溝を有しキーにより回転するシリンダ部と、前記嵌合部に嵌合して前記シリンダ部とともに回転するカムを有しこのカムに嵌合して前記カムが回転すると前記回転軸に直交する方向への直線的往復運動を行い前記往復運動の一方向において前記ハンドルの回転を不能にし、前記往復運動の他方向において前記ハンドルの回転を可能にする施錠棹を有するカム機構とからなる前記錠機構を備えるとともに前記施錠棹に連設する前記ロッド機構を備え、
前記施錠棹は、前記回転軸方向前方に前記ロッド機構を駆動する係合突起を有する一方、前記ロッド機構は、前記回転軸方向後方に前記係合突起に係合する頭部を有するとともにこの頭部から前記回転軸方向前方へ延びるロッド部を有するロッド部材とこのロッド部材を前記係合突起に向かって付勢するばねとを有し、前記施錠棹と前記ロッド機構とは、前記施錠棹の係合突起に形成された第一傾斜面と、前記ロッド機構の頭部に形成された第二傾斜面とが当接し、前記施錠棹の前記直線的往復運動を前記ロッド部材の前記回転軸方向における直線的往復運動に変換することを特徴とする前記ハンドル装置。
【請求項２】
前記ロッド機構は、前記ハンドルの回転軸上に設けられるとともに前記錠機構に連設し前記錠機構の施錠および解錠動作に連動して前記ロッド部を前進および後退させることを特徴とする請求項１記載の前記ハンドル装置。
【請求項３】
前記他装置は、前記ロッド部の移動方向に前記ロッド部と対向して設けられたマイクロスイッチであり、このマイクロスイッチは前記ロッド部の前進時は閉鎖され、前記ロッド部の後退時は開放されることを特徴とする請求項１または２記載の前記ハンドル装置。
【発明の詳細な説明】
【０００１】
【産業上の利用分野】
本発明はドアパネル等のパネルに取り付けて、このパネルを開閉するのに使用する錠付ハンドル装置に関する。
【０００２】
【従来の技術】
実開平４−１０１４７５号公報に示されるように、例えば分電盤等の電気設備には、そのドアを開閉するための錠付ハンドル装置が設置されている。
【０００３】
この錠付ハンドル装置は、ドアに設けられたハンドルを回転してドアの開放・閉鎖の操作を行なうようになっている。さらに、このハンドル装置には、ドアの閉鎖状態を固定するための錠機構が設けられており、キーを用いてこの錠機構を施錠することによって閉鎖状態のドアを固定する。
【０００４】
【発明が解決しようとする課題】
上述のように構成した錠付ハンドル装置では、このハンドル装置が施錠されているか否かを外見からでは判断することができなかった。このため、この種の錠付ハンドル装置が設置された電気設備では、施錠することを忘れたまま放置されるという事態を生じることがあり設備管理上問題であった。
【０００５】
本発明は、このような問題を解決することを課題としてなされたもので、第一の目的は、例えば電気設備のドアの閉鎖状態において、施錠の有無を視認できる錠付ハンドル装置を提供することである。また、第二の目的は、この錠付ハンドル装置を用いた施錠忘れのないドアシステムを提供することである。
【０００６】
【課題を解決するための手段】
前記第一の目的を達成するための本発明は、回転可能なドア開閉用ハンドルを備えるとともに前記ドアの閉鎖状態を固定する錠機構を備えたドア開閉用錠付ハンドル装置を前提としている。
【０００７】
かかる前提において、本発明が特徴とするところは、前記ハンドル装置は、前記錠機構の解錠時には前記ハンドル装置の内方へ後退し、その施錠時には前記ハンドル装置の外方へ前進して他装置を動作させるロッド部を有するロッド機構を内蔵し、前記ハンドル装置は、前記ハンドルの回転軸上に設けられ前端に嵌合部が突出し後端にキー溝を有しキーにより回転するシリンダ部と、前記嵌合部に嵌合して前記シリンダ部とともに回転するカムを有しこのカムに嵌合して前記カムが回転すると前記回転軸に直交する方向への直線的往復運動を行い前記往復運動の一方向において前記ハンドルの回転を不能にし、前記往復運動の他方向において前記ハンドルの回転を可能にする施錠棹を有するカム機構とからなる前記錠機構を備えるとともに前記施錠棹に連設する前記ロッド機構を備え、前記施錠棹は、前記回転軸方向前方に前記ロッド機構を駆動する係合突起を有する一方、前記ロッド機構は、前記回転軸方向後方に前記係合突起に係合する頭部を有するとともにこの頭部から前記回転軸方向前方へ延びるロッド部を有するロッド部材とこのロッド部材を前記係合突起に向かって付勢するばねとを有し、前記施錠棹と前記ロッド機構とは、前記施錠棹の係合突起に形成された第一傾斜面と、前記ロッド機構の頭部に形成された第二傾斜面とが当接し、前記施錠棹の前記直線的往復運動を前記ロッド部材の前記回転軸方向における直線的往復運動に変換することである。
【０００８】
本発明の好ましい実施態様の一つは、前記ロッド機構は、前記ハンドルの回転軸上に設けられるとともに前記錠機構に連設し前記錠機構の施錠および解錠動作に連動して前記ロッド部を前進および後退させるものである。
【００１１】
本発明の好ましい実施態様のさらに他の一つは、前記他装置が、前記ロッド部の移動方向に前記ロッド部と対向して設けられたマイクロスイッチであり、このマイクロスイッチは前記ロッド部の前進時は閉鎖され、前記ロッド部の後退時は開放されることである。
【００１２】
【発明の実施の形態】
以下に、本発明を図面に示す実施の形態に基づいて詳細に説明する。
【００１３】
なお、この実施の形態は、本発明を分電盤ドアシステムに適用したものである。
【００１４】
図1は、本実施の形態のドア開閉用錠付ハンドル装置２をドアパネル１に装着した状態を一部破断して示す装置２の斜視図である。
【００１５】
図２は、本実施の形態のドア開閉用錠付ハンドル装置２の正面図とそれにマイクロスイッチ８を組み込んだドアシステムの模式図である。図３は、ドア開閉用錠付ハンドル装置２の一部を破断して示す装置２の拡大正面図である。図４は、連設する錠機構３０とロッド機構２２とのそれぞれの構成部品を示す図面である。なお、図４には、周知であることから一部説明を省いた部位は描写していない。図５は、ドア開閉用錠付ハンドル装置２のキー溝３４側から見た側面図である。図６は、ドア開閉用錠付ハンドル装置２におけるロッド部２０の前進および後退の作動機構を説明する模式図である。
【００１６】
なお、以降の説明の便宜上、ハンドル装置２のマイクロスイッチ8側を前方、ハンドル２１側を後方と称し、また、図1に示すように、ハンドル２１の回転軸方向をＸ方向、Ｘ方向に直交し棒状に形成されたハンドル２１の図面上の長軸方向をＹ方向、ドアパネル１に平行でＸ方向、Ｙ方向に直交する方向をＺ方向と称する。
【００１７】
まず、この分電盤ドアシステムの概略を説明する。
【００１８】
本実施の形態の分電盤ドアシステムは、図1に示すように、分電盤のドアパネル１にハンドル装置２が装着されており、このハンドル装置２の作動によりドアパネル１が開閉するようになっている。
【００１９】
ドアパネル１が閉鎖状態では、分電盤の壁パネル３に設けられた溝金具４にハンドル装置２の爪金具５が係止される。
【００２０】
さらにこの分電盤ドアシステムでは、その壁パネル３に表示ランプ６（図２参照）を点灯する電気回路７（図２参照）が設けられており、表示ランプ６が、図示は省略してあるが視認性が良好な分電盤の所望箇所に設けられている。この電気回路７には、図２に示すようにハンドル装置２に連設されたマイクロスイッチ８が組み込まれており、ハンドル装置２の施錠・解錠に伴うマイクロスイッチ８のＯＮ−ＯＦＦにより、表示ランプ６の点灯・消灯がなされる。
【００２１】
つぎに、ハンドル装置２によるマイクロスイッチ８のＯＮ−ＯＦＦ機構の詳細を説明する。
【００２２】
図２に示すように、ハンドル装置２のハンドル２１の回転軸上でＸ方向の先端にはロッド部２０が突出している。ロッド部２０はマイクロスイッチ８のスイッチ板１０に当接しており、ハンドル装置２の施錠・解錠動作に基づいて進退しマイクロスイッチ８をＯＮ−ＯＦＦする。
【００２３】
以下、ハンドル装置２の構成を図３、図４を参照して説明する。
【００２４】
ハンドル装置２は、図３に示すように、回転することによりドアパネル１（図1参照）を開閉するハンドル２１と、ハンドル装置２を施錠する錠機構３０と、錠機構３０の施錠動作に基づいてロッド部２０を前進させるロッド機構２２と、爪金具５（図1参照）を装着するとともにロッド機構２２および錠機構３０を内蔵する回転軸部５０と、この回転軸部５０および錠機構３０の外周に位置しこれらを同軸状に覆うスリーブ６０とを有している。
【００２５】
ハンドル２１は、施錠状態においてはＹ方向に延びる棒体で、ハンドル装置２の機構部分に連接する図面上の上部には錠機構３０にキーを挿入するための施錠部２３を有し、この施錠部２３にはこれを覆うカバー２４が設けられている。また施錠部２３には後述するシリンダ部３１を嵌入する円孔２５（図５参照）が設けられている。
【００２６】
錠機構３０は、キーにより回転するシリンダ部３１と、このシリンダ部３１の回転を後述する施錠棹３７の直線的往復運動に変換するカム機構３２とからなり、閉鎖位置にあるハンドル２１の回転を不能にすることにより閉鎖状態のドアパネル１（図1参照）を固定する。
【００２７】
シリンダ部３１は、ハンドル２１の回転軸上に設けられ、前端にカム機構３２と連設しシリンダ部３１の回転をカム機構３２に伝達する嵌合部３３を突出するとともに後端にキー溝３４（図５参照）を有しキーにより回転するようになっている。嵌合部３３は、図４に示すように、円柱体の外周の軸対称位置に一対の平面４０，４０を設けた形状を呈している。
【００２８】
カム機構３２は、嵌合部３３を介してシリンダ部３１と同軸に連設しており嵌合部３３に嵌合して回転するカム３６と、このカム３６に係合して直線的往復運動を行いハンドル２１の回転を不能にする施錠棹３７とを有している。
【００２９】
カム３６は、図４に示すように、短尺円柱状の基体４１とこの基体４１に立脚し嵌合部３３と嵌合する一対の脚部４２，４２と、基体４１のＸ方向前方に突出し施錠棹３７と連設する凸部４４とを有する。一対の脚部４２，４２は、前記一対の平面４０，４０に当接する平坦な内面と基体４１の外周と一致する円弧状の外面とを有し、この一対の脚部４２，４２間に嵌合部３３が嵌合するようになっている。一方凸部４４は、前記回転軸に対し偏心して形成され基体４１より小径の円柱体である。
【００３０】
施錠棹３７は、図４に示すように、その長軸がＹ方向に延びる柱状体で、その後方面にはカム３６の凸部４４が係合するＺ方向に延びる角溝４３が施錠棹３７を横断して設けられている。一方施錠棹３７の前方面には、Ｙ方向に延び外周が半円状で底面が外周から下り傾斜した平面になっている第一傾斜面３８を有する係合突起３９が突出している。この第一傾斜面３８はロッド機構２２の後述する頭部２６に形成された第二傾斜面２８に係合して施錠棹３７のＹ方向の動きをロッド機構２２のＸ方向の動きに変換する。また、施錠棹３７は、図３に示すように、解錠時は回転軸部５０に設けられた第一挿通孔５１と第二挿通孔５２とにかけて挿通されており、カム３６の回転に伴いＹ方向に移動してその底部がスリーブ６０に設けられた施錠孔６１に落とし込まれてハンドル２１の回転を不能にする。
【００３１】
ロッド機構２２は、図４に示すように、係合突起３９に係合する頭部２６を有するとともにこの頭部２６から延びるロッド部２０を有するロッド部材２７と、このロッド部材２７を施錠棹３７に向かって付勢するばね２９とを有する。頭部２６は、略円柱状を呈し、係合突起３９と係合する部位が第一傾斜面３８の傾斜角と同一の傾斜角を有する第二傾斜面２８となっている。すなわちこれらの角度は４５°である。図３に示すように、頭部２６から同軸にＸ方向前方に向かってロッド部２０が延びており、その先端は回転軸部５０を貫通して外方に突出している。ロッド部２０は頭部２６より小径であり、ロッド部２０が頭部２６から延出する部位には所定の段差が形成されている。ロッド機構２２は、回転軸部５０の中心部に形成された空間に回転軸部５０と同軸状に内蔵されており、頭部２６の外周が接しているこの空間の部位はさらにＸ方向前方に延びて設けられ、ばね２９を装着するばね室４５を形成している。そして、ロッド部２０が後退するハンドル装置２の解錠状態において、ばね２９は、この部位のＸ方向前方壁と頭部２６とに当接するようにばね室４５に装着され、一方ハンドル装置２の施錠状態においては圧縮されてロッド部材２７を施錠棹３７に向かって付勢するようになっている。
【００３２】
マイクロスイッチ８は、図２に示すように、そのスイッチ板１０が、ハンドル装置２の解錠状態において外方に突出しているロッド部２０の先端に当接した状態で、スイッチブラケット９を介してハンドル装置２に取り付けられている。そして、ハンドル装置２の施錠状態においては、ロッド部２０の先端が、前進してスイッチ板１０を押圧し、マイクロスイッチ８がＯＮされる。この結果、マイクロスイッチ８が組み込まれた電気回路７の表示ランプ６が点灯し、ハンドル装置２が施錠されていることを表示する。
【００３３】
次に、本実施の形態のハンドル装置２の作動方法とその作用について説明する。
【００３４】
図１は本分電盤ドアシステムにおいてドアパネル１を閉鎖した状態のハンドル装置２を示しており、開放状態のドアパネル１を閉めてハンドル２１をＹ方向に垂下するまで左回転すると、爪金具５が壁パネル３の溝金具４に係止されて、ドアパネル１が閉鎖状態となる。この状態で、図５に示すようにハンドル２１のカバー２４を回しキー溝３４を露出させ、キー（図示省略）を挿入して回転する。ハンドル装置２は、施錠されてハンドル２１の回転を不能にし、閉鎖状態のドアパネル１を固定する。
【００３５】
キーの回転に伴いハンドル装置２が施錠される機構を図３、図４を参照して説明する。
【００３６】
キーを回転するとシリンダ部３１が回転するとともに嵌合部３３が回転し、同時にカム３６が回転する。このカム３６の回転に伴いその凸部４４は、施錠棹３７の角溝４３との係合を維持しながら円弧状に移動する。すなわち、この円弧状移動は、凸部４４の角溝４３内のＺ方向移動と、角溝４３を介した施錠棹３７のＹ方向の移動として現れる。この結果、施錠棹３７はＹ方向下方に移動し、スリーブ６０に設けられた施錠孔６１に落とし込まれる。これにより、ハンドル２１の回転により回転する回転軸部５０とドアパネル１に固定されているスリーブ１とに施錠棹３７がかけわたされるので、ハンドル２１の回転が不能になり、ハンドル装置２は施錠される。
【００３７】
なお、ハンドル装置２の解錠は、前述の施錠動作とまったく逆である。
【００３８】
ハンドル装置２のキーの回転に伴う施錠動作は同時にロッド部２０（図２参照）を前進させる。このロッド部２０の前進により、マイクロスイッチ８はＯＮされ、表示ランプ６の電気回路７が導通して表示ランプ６が点灯する。
【００３９】
このハンドル装置２の施錠動作が電気回路７を導通状態にする機構を図６を参照して説明する。
【００４０】
図６（Ａ）はハンドル装置２の解錠状態を示しており、施錠棹３７から突出した係合突起３９とロッド機構２２の頭部２６とは、係合突起３９の第一傾斜面３８と頭部２６の第二傾斜面２８とが全面に亘って係合している。ついで、キーを施錠方向へ回転すると図６（Ｂ）に示すように、施錠棹３７がＹ方向下方に移動し、これに伴い係合突起３９の第一傾斜面３８が、第二傾斜面２８を押しながら下方に移動することによってロッド部材２７をばね２９（図３参照）の付勢に抗してＸ方向前方に押し出す。この結果、ロッド部２０が前進してマイクロスイッチ８を閉鎖するＯＮにし、電気回路７を導通状態にする（図２参照）。
【００４１】
このようにして、ハンドル装置２の施錠を完了すると、ハンドル２１の回転が不能になるとともに表示ランプ６が点灯して、管理者はハンドル装置２が施錠されていることを認識することができる。
【００４２】
ハンドル装置２を解錠すると、施錠棹３７がＹ方向上方に移動し、ロッド部材２７は、ばね２９により後退する方向に付勢されているから、係合突起３９の第一傾斜面３８と頭部２６の第二傾斜面２８とが全面に亘って係合する図６（Ａ）に示す状態に復する。この結果、ロッド部２０が後退して、マイクロスイッチ８が開放するＯＦＦになり、表示ランプ６は消灯する。
【００４３】
このようにして、ハンドル装置２が解錠状態にあると、表示ランプ６は消灯しているので、管理者は、例えドアパネル１が閉鎖されていてもハンドル装置２が施錠されていないことをそのランプによって判断することができ、施錠することを忘れたままドアパネル１を放置するという事態を防止することができる。
【００４４】
上述のように、本実施の形態のハンドル装置２は、公知の錠機構３０を備えたハンドル装置にロッド機構２２を組み込むだけで構成されているので、容易にその設計をすることができる。
【００４５】
本実施の形態は、本発明を分電盤ドアシステムに適用したものであるが、本発明はこれに限らず、この種のハンドル装置を有するあらゆる設備に適用することができる。
【００４６】
本実施の形態は、ハンドル装置２の施錠時に表示ランプ６を点灯させて、施錠状態を認識させるものであるが、ハンドル装置２が解錠状態にあると表示ランプ６が点灯するようにして解錠状態を認識させるものであっても良い。
【００４７】
また、ハンドル装置２の施錠状態または解錠状態を認識させるものは表示ランプ６に限らず、所望の音声表示その他の手段であってもよい。
【００４８】
本実施の形態は、分電盤の所望箇所に表示ランプ６を設けているが、本発明はこれに限らず、例えば分電盤等の管理が集中管理室で集中管理されている場合は、その管理パネルに設けられた表示ランプでも良い。
【００４９】
本実施の形態は、電気回路のマイクロスイッチをＯＮ−ＯＦＦするものであるが、本発明はこれに限らず、例えばバキューウム回路等のスイッチを閉鎖・開放するものであって、表示手段がこれに適した所望の手段であっても良い。
【００５０】
ロッド部２０の前進、後退は、このような表示手段以外の他の装置に連動させても良い。
【００５１】
本実施の形態におけるハンドル装置２は、機械的に連設した錠機構、カム機構、ロッド機構を用いて、その施錠・解錠作動に連動させてロッド部を進退させているが、本発明は各機構が機械的に連設したものに限らず、施錠・解錠作動に連動させてロッド部を進退させるものであればその手段は問わない。例えば、錠機構の施錠・解錠作動を電気信号におきかえて、この信号によりロッド部を進退させるものでも良い。
【発明の効果】
本発明は、施錠・解錠に伴って前進および後退し他装置を動作させるロッド部を設けたハンドル装置なので、ハンドル装置の施錠・解錠に連動させようとする所望の他装置を動作させることができる。
【００５２】
前記ロッド部を有するロッド機構を、ハンドルの回転軸上に設けるとともに前記錠機構に連設した場合は、従来のハンドル装置に簡単な機構を追加するだけで、錠機構の施錠・解錠作動に連動してロッド部を進退させることができるので、ハンドル装置の設計が容易である。
【００５３】
前記施錠棹に前記ロッド機構に連設する係合突起を設ける一方、前記ロッド機構に前記係合突起に係合する頭部を有するとともにロッド部を有するロッド部材と前記付勢ばねとを設け、係合突起の第一傾斜面と、頭部の第二傾斜面とを係合して施錠棹の直線運動をロッド部材の直線運動に変換する場合は、従来のハンドル装置に対して、前記施錠棹の係合突起と、これに係合する頭部、頭部から延出するロッド部を有するロッド部材を備えるとともに付勢ばねを備えた前記ロッド機構とを追加するだけで本発明のハンドル装置を得ることができるので、ハンドル装置の構成が簡易でありその設計が容易である。
【００５４】
施錠・解錠に伴って前進および後退するロッド部を設けたハンドル装置にマイクロスイッチを設けた本発明のドアシステムは、ドアの施錠・解錠に伴いマイクロスイッチの閉鎖・開放をすることができるので、このマイクロスイッチを組み込んだ設備の動作をドアの施錠・解錠に連動して行うことができる。
【図面の簡単な説明】
【図１】ドア開閉用錠付ハンドル装置の使用状態を一部破断して示す斜視図。
【図２】ドア開閉用錠付ハンドル装置の正面図とそれにマイクロスイッチを組み込んだドアシステムの模式図。
【図３】ドア開閉用錠付ハンドル装置の正面図を一部破断した図面。
【図４】錠機構とロッド機構とのそれぞれの構成部品を表わした図面。
【図５】ドア開閉用錠付ハンドル装置のキー溝側から見た側面図。
【図６】ドア開閉用錠付ハンドル装置の作動機構を説明する模式図。
【符号の説明】
１    ドアパネル（ドア）
２    ドア開閉用錠付ハンドル装置
８    マイクロスイッチ
２０  ロッド部
２１  ハンドル
２２  ロッド機構
２６  頭部
２７  ロッド部材
２８  第二傾斜面
２９  ばね
３０  錠機構
３１  シリンダ部
３２  カム機構
３３  嵌合部
３４  キー溝
３６  カム
３７  施錠棹
３８  第一傾斜面
３９  係合突起
【図１】
0003842065.tif 000002
【図２】
0003842065.tif 000003
【図３】
0003842065.tif 000004
【図４】
0003842065.tif 000005
【図５】
0003842065.tif 000006
【図６】
0003842065.tif 000007